(57)【要約】【課題】お腹や後ウエスト部にフィット感を与えるとともに、使用時に動きやすく、かつ、ヒップをしっかり包んでずり上がりを防ぎ、下腹部にサポート力を与える妊婦用腹帯を提供することにある。【解決手段】妊婦の腹部を保護する妊婦用腹帯にあって、裾身頃は前から後ろに向かって身丈を短くさせる一方、裾ベルトは前から後ろに向かってベルト巾を大きくとり、かつ、身頃の身巾よりベルト身巾を短くしたものである。また、筒状の生地を二重仕様にして構成し、生地折り返し部に縫い目を入れないようにしたものである。そしてまた、筒状の生地を二重仕様にして構成されてなる妊婦用腹帯にあって、お腹部分にダーツを、裏サポート布の端と合わせ、平二本針両振仕様の縫い目で上から糸を振るように設けてなるものである。さらにまた、筒状の生地を二重仕様にして構成されてなる妊婦用腹帯にあって、後ウエスト部にスパンテープをたたいたものである。【選択図】      図１
2004300641.tif 000002
【特許請求の範囲】
【請求項１】
妊婦の腹部を保護する妊婦用腹帯にあって、裾身頃は前から後ろに向かって身丈を短くさせる一方、裾ベルトは前から後ろに向かってベルト巾を大きくとり、かつ、身頃の身巾よりベルト身巾を短くすることを特徴とする妊婦用腹帯。
【請求項２】
筒状の生地を二重仕様にして構成し、生地折り返し部に縫い目を入れないことを特徴とする妊婦用腹帯。
【請求項３】
筒状の生地を二重仕様にして構成されてなる妊婦用腹帯にあって、お腹部分にダーツを、裏サポート布の端と合わせ、平二本針両振仕様の縫い目で上から糸を振るように設けてなることを特徴とする妊婦用腹帯。
【請求項４】
筒状の生地を二重仕様にして構成されてなる妊婦用腹帯にあって、後ウエスト部にスパンテープをたたいていることを特徴とする妊婦用腹帯。
【発明の詳細な説明】
【０００１】
【発明の属する技術分野】
本発明は、妊婦の腹部を保護する妊婦用腹帯に関し、お腹や後ウエスト部にフィット感を与えるととともに、使用時に動きやすく、特に、ヒップをしっかり包んでずり上がりを防ぎ、下腹部にサポート力を与える妊婦用腹帯に係るものである。
【０００２】
【従来の技術】
従前から、様々なタイプの妊婦用腹帯が知られている。例えば、ほとんどが一重の筒状の生地よりなる構成であるため、お腹に「ゴムのあと」や「ベルト切り返し線のあと」などが入ってしまう欠点があったものである。
また、従前の妊婦用腹帯の大半はフィット感を与えるための細かな設定に欠けている上に、ベルトを付加する場合でも、裾ベルトの巾については同一巾であるため、使用時に、動きにくく、また、ヒップ部分でずり上がりやすいなどの難点があったものである。
【０００３】
【発明が解決しようとする課題】
本発明は、上記した実状に鑑みてなされたもので、お腹や後ウエスト部にフィット感を与えるとともに、使用時に動きやすく、特に、ヒップをしっかり包んでずり上がりを防ぎ、下腹部にサポート力を与える妊婦用腹帯を提供することをその目的とするものである。
【０００４】
【問題を解決するための手段】
本発明に係る妊婦用腹帯は、裾身頃は前から後ろに向かって身丈を短くさせる一方、裾ベルトは前から後ろに向かってベルト巾を大きくとり、かつ、身頃の身巾よりベルト身巾を短くしたものである。
また、本発明に係る妊婦用腹帯は、筒状の生地を二重仕様にして構成し、生地折り返し部に縫い目を入れないようにしたものである。
そしてまた、本発明に係る妊婦用腹帯は、筒状の生地を二重仕様にして構成されてなる妊婦用腹帯にあって、お腹部分にダーツを、裏サポート布の端と合わせ、平二本針両振仕様の縫い目で上から糸を振るように設けてなるものである。
さらにまた、本発明に係る妊婦用腹帯は、筒状の生地を二重仕様にして構成されてなる妊婦用腹帯にあって、後ウエスト部にスパンテープをたたいたものである。
【０００５】
【作用】
以下、本発明に係る妊婦用腹帯の作用について説明する。
本発明に係る妊婦用腹帯は、裾身頃は前から後ろに向かって身丈を短くさせる一方、裾ベルトは前から後ろに向かってベルト巾を大きくとり、かつ、身頃の身巾よりベルト身巾を短くしている。したがって、身頃は前から後ろに向かって身丈を短くさせることにより、前身頃の許容量を多くすることができ、また、後ベルト巾の利点が生きてくる（「ヒップ」と「太ももつけ根」の寸差はかなり大きくあるため、後ベルトの巾でその差を傾斜状にうめることがフィット感を出し、ずり上がりを防止しているからである。）。つまり、前身裾ベルト巾は短かくすることにより、前足口は運動量が多いため、もたつきをなくしスッキリさせ動きやすいようにし、また、後身裾ベルト巾は大きくすることにより、動いているうちにずり上がりやすい弱点をなくすため、ヒップをしっかり包み、ずり上がりを防止し、フィット感（巾を出すことによって）を出している。
また、筒状の生地を二重仕様にして構成されてなる妊婦用腹帯にあって、お腹部分にダーツを、裏サポート布の端と合わせ、平二本針両振仕様の縫い目で上から糸を振るように設けると、ダーツ縫い代等を押えることができ、しかも、サポート力を一番掛けたい部分にゆるみが生じない。
そしてまた、妊婦用腹帯を筒状の生地を二重仕様にして構成し、生地折り返し部に縫い目を入れないから、お腹に「ゴムのあと」や「ベルト切り返し線のあと」などがつかず、前へせり出すお腹に、生地の伸縮性のみでフィットするので、心地よくゆったりし、圧迫感を与えない。
さらにまた、後ウエスト部にスパンテープをたたき、ギャザーを寄せ、これにより、後ウエストにフィット感を持たせている。
【０００６】
【実施例】
以下、本発明の妊婦用腹帯について、図面に示した実施例に基づき説明する。図１は本発明の妊婦用腹帯の概略正面図、図２は概略背面図、図３は概略側面図、そして図４は説明図である。
図において、本発明に係る妊婦用腹帯１は、裾身頃２は前から後ろに向かって身丈を短くさせる一方、裾ベルト３は前から後ろに向かってベルト巾を大きくとり、かつ、身頃の身巾よりベルト巾を短くしている。
また、筒状の生地を二重仕様にして、生地折り返し部４に縫い目を入れない構成となっている。
そしてまた、お腹部分の左右前よりにふりわけにダーツ５を、裏サポート布の端と合わせ、平二本針両振仕様の縫い目で上から糸を振るように設けている。これにより、ダーツ縫い代等を押えることができ、しかも、サポート力を一番かけたい部分６に、極度なふくらみを作らないよう裾ベルト身巾に近づけている。
さらにまた、後ウエスト部に、スパンテープ７を２本、間をあけてたたき、ギャザーを寄せている。これにより、「ゴロつき感」を持たせず、後ウエスト部に、フィット感を持たせている。
尚、この実施例では、本発明の妊婦用腹帯を筒状の生地を二重仕様にして構成したが、請求項１および４記載の発明については、これに限らず、筒状の生地を二重仕様にして構成しない妊婦用腹帯にも適用可能である。また、スパンテープの数や巾について実施例に限定されることなく自由に変更できる。
【０００７】
【発明の効果】
以上の説明から明らかなように、本発明に係る妊婦用腹帯によれば、お腹や後ウエスト部にフィット感を与えるとともに、使用時に動きやすく、かつ、ヒップをしっかり包んでずり上がりを防ぎ、下腹部にサポート力を与えるなどの顕著な効果が得られる。
【図面の簡単な説明】
【図１】本発明の妊婦用腹帯の概略正面図である。
【図２】本発明の妊婦用腹帯の概略背面図である。
【図３】本発明の妊婦用腹帯の概略側面図である。
【図４】本発明の妊婦用腹帯の説明図である。
【符号の説明】
１  本発明に係る妊婦用腹帯
２  裾身頃
３  裾ベルト
４  生地折り返し部
５  ダーツ
６  サポート力を一番かけたい部分
７  スパンテープ
【図１】
2004300641.tif 000003
【図２】
2004300641.tif 000004
【図３】
2004300641.tif 000005
【図４】
2004300641.tif 000006